(57)【要約】    容易な操作で所望の表示構成に変更可能な医用画像システムを提供する。    一又は複数のモニタを備える医用画像表示装置５Ａ、５Ｂを含む医用画像システム１では、サーバ３において前記医用画像表示装置において取り得るモニタ構成に応じた対象データの表示構成ファイルを記憶し、前記記憶された表示構成のうち、対象データの表示を行う医用画像表示装置５Ａ又は５Ｂのモニタ構成に対応する表示構成ファイルを医用画像表示装置５Ａ又は５Ｂに送信する。医用画像表示装置５Ａ又は５Ｂでは、送信された表示構成ファイルに基づいてモニタ上に対象データを表示させ、ユーザによる指示操作に応じて現在の表示構成を他のモニタ構成に対応する表示構成に切り替えて対象データの再表示がなされる。
2007099817.tif 000002
【特許請求の範囲】
【請求項１】
一又は複数のモニタを備える医用画像表示装置を含む医用画像システムにおいて、
前記医用画像表示装置において取り得るモニタ構成に応じた対象データの表示構成を記憶する記憶手段と、
前記記憶された表示構成のうち、何れか一のモニタ構成に対応する表示構成に基づいて前記医用画像表示装置のモニタ上に表示させる表示制御手段と、
前記一のモニタ構成に対応する表示構成を他のモニタ構成に対応する表示構成に切り替える切替制御手段と、
を備えることを特徴とする医用画像システム。
【請求項２】
前記表示制御手段は、前記対象データの表示に用いられている表示構成の識別情報を表示させることを特徴とする請求の範囲第１項に記載の医用画像システム。
【請求項３】
切替対象のモニタ構成を指定するための操作手段を備え、
前記切替制御手段は、前記操作手段を介して指定されたモニタ構成に対応する表示構成に切り替えることを特徴とする請求の範囲第１項又は第２項に記載の医用画像システム。
【請求項４】
前記記憶手段は、前記モニタ構成に応じた表示構成をユーザ毎に記憶し、
前記対象データの表示を行う医用画像表示装置にログインしたユーザを判別する判別手段を備え、
前記表示制御手段は、前記判別されたユーザに対応する表示構成のうち、何れか一のモニタ構成に対応する表示構成に基づいて前記対象データを前記医用画像表示装置のモニタ上に表示させ、
前記切替制御手段は、前記一のモニタ構成に対応する表示構成を、前記ユーザに対応する表示構成のうちの他のモニタ構成に対応する表示構成に切り替えることを特徴とする請求の範囲第１項〜第３項の何れか一項に記載の医用画像システム。
【請求項５】
前記表示制御手段は、前記医用画像表示装置のモニタにおいて表示中の対象データの表示構成を示す識別情報を当該モニタ上に表示させることを特徴とする請求の範囲第１項〜第４項の何れか一項に記載の医用画像システム。
【請求項６】
前記表示制御手段は、前記医用画像表示装置のモニタ上に前記ユーザに対応する表示構成の一覧を表示させるとともに、この一覧の中から前記操作手段を介して一の表示構成が指定されると、当該指定された表示構成に切り替えて前記対象データを表示させることを特徴とする請求の範囲第４項に記載の医用画像システム。
【発明の詳細な説明】
【技術分野】
【０００１】
本発明は、医用画像データ、その他医用画像に係る表示対象データをモニタ上に表示する医用画像システムに関する。
【背景技術】
【０００２】
近年、病院での医用画像の電子データ化がすすみ、医用画像の撮影から表示までの一連の処理を担う医用画像システムが構築されている。これは撮影装置等により得られた医用画像のデータを大容量メモリに保存し、サーバがこれを管理して診察室等に病院内の各地に設置されている医用画像表示装置に配信するものである。【０００３】
医用画像の読影時には、医師は複数の医用画像を並べて観察したり、医用画像とともに患者リスト画面やレポート作成画面等を並列に表示させる場合があるので、医用画像表示装置ではモニタは一つだけでなく、複数備えているものも多い。
医用画像表示装置を使用する毎にどのモニタにどのような表示内容を表示させるのかを設定するのは煩雑であるため、従来から医師毎に表示構成を定めてサーバに登録しておき、医用画像表示装置へのログイン時にログインした医師に対応する表示構成をサーバから取得してこれに基づく表示を行うことが行われていた（例えば、特許文献１参照）。
【特許文献１】特開平１１−２８２９３６号公報
【発明の開示】
【発明が解決しようとする課題】
【０００４】
しかし、同一の表示装置を使用している最中にも、表示構成を変更したい場合がある。例えば、３つのモニタのそれぞれに患者リスト、医用画像、レポートを表示する表示構成をとっていたが、途中で医師が使用しているモニタのうちの一つを電子カルテとして使用するため、患者リストのモニタにおいて電子カルテの画面を表示させるような場合である。この場合、患者リストの表示画面と電子カルテの作成画面を重畳的に表示させるため、電子カルテの作成画面と患者リストの表示画面とを順次切替えながら医師は作業を行わなければならず、非常に煩雑である。【０００５】
上記のような場合には、３つのモニタのうち、２つのモニタのみを用いて電子カルテ、医用画像を表示させる等、表示構成を変更できることが好ましい。
しかしながら、従来の医用画像システムでは、医師がある一つの医用画像表示装置を固定で使用することを前提として医師毎に１つの表示構成を定めているため、医用画像表示装置にログイン後、異なる表示構成に変更するには個々のモニタについてマニュアル操作により表示内容の変更を行わなければならなかった。【０００６】
本発明の課題は、容易な操作で所望の表示構成に変更可能な医用画像システムを提供することである。
【課題を解決するための手段】
【０００７】
請求の範囲第１に記載の発明は、
一又は複数のモニタを備える医用画像表示装置を含む医用画像システムにおいて、
前記医用画像表示装置において取り得るモニタ構成に応じた対象データの表示構成を記憶する記憶手段と、
前記記憶された表示構成のうち、何れか一のモニタ構成に対応する表示構成に基づいて前記医用画像表示装置のモニタ上に表示させる表示制御手段と、
前記一のモニタ構成に対応する表示構成を他のモニタ構成に対応する表示構成に切り替える切替制御手段と、
を備えることを特徴とする。
【発明の効果】
【０００８】
請求の範囲第１項に記載の発明によれば、異なるモニタ構成に応じた表示構成に自由に切替表示することが可能となる。よって、医用画像表示装置にログイン後、用途に応じて任意の表示構成に容易に変更することができ、利便性が高い。【０００９】
請求の範囲第２項に記載の発明によれば、識別情報により現在取られている表示構成を容易に識別することが可能となる。【００１０】
請求の範囲第３項に記載の発明によれば、切替対象の表示構成をユーザが指定することができ、他のモニタ構成に応じた表示構成に自由に切り替えることが可能となる。【００１１】
請求の範囲第４項に記載の発明によれば、所望のモニタ構成に合わせるだけでなく、ユーザが所望する表示内容等に応じた表示構成で対象データを表示させることができる。これにより、表示内容等のカスタマイズを行うことが可能となり、利便性が向上する。【００１２】
請求の範囲第５項に記載の発明によれば、識別情報により現在対象データの表示に用いられている表示構成を容易に把握することができる。【００１３】
請求の範囲第６項に記載の発明によれば、一覧の中から所望の表示構成を指定することができ、容易に表示構成を切り替えることができる。
【図面の簡単な説明】
【００１４】
【図１】本実施形態における医用画像システムの構成を示す図である。
【図２】図１のサーバの構成を示す図である。
【図３】図２の記憶部に記憶される登録ユーザファイルの一例を示す図である。
【図４】図２の記憶部に記憶される表示構成テーブルの一例を示す図である。
【図５】図２の記憶部に記憶されるモニタファイルの一例を示す図である。
【図６】図１の医用画像表示装置の構成を示す図である。
【図７】サーバにより実行される表示構成ファイル提供処理を示すフローチャートである。
【図８】医用画像表示装置により実行される対象データ表示処理を示すフローチャートである。
【図９】対象データの表示例を示す図である。
【図１０】他の表示構成を指定するための操作メニュー例を示す図である。
【図１１】他の表示構成に切り替えた場合の対象データの表示例を示す図である。
【符号の説明】
【００１５】
１    医用画像システム
３    サーバ
３１    制御部
３４    記憶部
３４１    登録ユーザファイル
３４２    表示構成テーブル
３４３    モニタファイル
４    ＮＡＳ
５Ａ、５Ｂ    医用画像表示装置
５１    制御部
５３ａ、５３ｂ、５３ｃ    モニタ
【発明を実施するための最良の形態】
【００１６】
まず、構成を説明する。
図１に、本実施形態における医用画像システム１のシステム構成を示す。
医用画像システム１は、図１に示すように、モダリティ２、サーバ３、ＮＡＳ（Network Attached Storage）４、医用画像表示装置５Ａ、５Ｂ、フィルム出力装置６を備えて構成されており、各構成装置はネットワークＮを介して接続されている。ネットワークＮは、ＤＩＣＯＭ（Digital Imaging and Communication in Medicine）規格に従ったＬＡＮ（Local Area Network）である。【００１７】
医用画像システム１は、モダリティ２により撮影された医用画像の他、レポート等のデータをＮＡＳ４に保存し、サーバ３によりその入出力を管理するものである。サーバ３の制御により、ＮＡＳ４に保存された各データはフィルム出力装置６又は医用画像表示装置５Ａ、５Ｂに出力される。
以下、各構成装置について説明する。【００１８】
モダリティ２は、患者を撮影し、その撮影画像（医用画像）を生成する画像生成装置である。モダリティ２としては、Ｘ線撮影装置、ＣＴ（Computed Tomography）撮影装置、ＭＲＩ（Magnetic Resonance Imaging）撮影装置、超音波／内視鏡撮影装置等、様々なものが挙げられる。撮影された医用画像はＮＡＳ４に送信される。なお、モダリティ２では撮影時に得られた医用画像に関する情報を医用画像に付加することが可能である。医用画像に関する情報としては、例えば患者の氏名、年齢等の患者情報や撮影日、モダリティ名、撮影条件等の撮影情報、医用画像のビット情報等の画像詳細情報等が挙げられる。これらの情報はモダリティ２において撮影技師が入力することにより得ることとしてもよいし、外部装置から入力されたものを得ることとしてもよい。【００１９】
サーバ３は、ＮＡＳ４に保存された各種データの管理を統括的に行うものである。
図２に、サーバ３の構成を示す。
サーバ３は、図２に示すように、制御部３１、通信部３２、ＲＡＭ（Random Access Memory）３３、記憶部３４等を備えて構成されている。【００２０】
制御部３１は、ＣＰＵ（Central Processing Unit）等から構成されており、記憶部３４に記憶されている各種制御プログラムをＲＡＭ３３に展開して、これら制御プログラムとの協働により演算を行う或いは各部３２〜３４の集中制御を行う。【００２１】
通信部３２は、ネットワークインターフェイスカード等の通信用インターフェイスを備え、ネットワークＮ上の外部装置と通信を行う。例えば、医用画像表示装置５Ａ、５Ｂからユーザのログイン情報を受信し、そのユーザ認証の結果を返信する。【００２２】
ＲＡＭ３３は、制御部３１により用いられる作業用メモリである。【００２３】
記憶部３４は、制御部３１において用いられる各種制御プログラムの他、プログラムの実行に必要なパラメータやデータ等を記憶している。
例えば、記憶部３４は、登録ユーザファイル３４１、表示構成テーブル３４２、モニタファイル３４３を記憶している。【００２４】
登録ユーザファイル３４１は、ユーザ認証を行うための照合用のユーザ情報を格納するためのファイルである。登録ユーザファイル３４１には、図３に示すように、ユーザ名、ユーザＩＤ（予めユーザを個々に識別するために付与された番号）に対応付けて、パスワード、表示構成ファイル名が記憶されている。表示構成ファイルは各種表示対象のデータ（以下、対象データという）の表示構成を定めるものであり、個々のユーザに応じたものが作成される。また、１人のユーザにつき、モニタ構成毎、或いは表示内容の構成を変えて複数の表示構成ファイルを作成することが可能である。ここで、モニタ構成とは、医用画像表示装置５Ａ、５Ｂが備える一又は複数のモニタの数、各種モニタの組み合わせ等をいう。【００２５】
例えば、ユーザ「Ｘ」はユーザＩＤ「１０１１」、パスワード「Ｘ１２３」であり、ユーザ「Ｘ」に応じた表示構成ファイルは「Ｘ１」、「Ｘ２」、「Ｘ３」の３つであることが定められている。【００２６】
表示構成テーブル３４２には、各ユーザの表示構成ファイルが登録されている。表示構成テーブル３４２には、図４に示すように、表示構成ファイルのファイル名、表示に用いるモニタのモニタＩＤ（各モニタを個々に識別するために予め付与された番号。ＭＡＣアドレス等を利用してもよい）、当該モニタに表示すべき表示内容（対象データの種類）、そのレイアウトの各項目情報が記憶されている。なお、図４では表示内容として画面名称が挙げられているが、患者リスト画面では患者リストデータ、読影画面では医用画像データ、レポート画面ではレポートデータと表示すべき対象データの種類が定められている。【００２７】
例えば、ファイル名「Ｘ３」の表示構成ファイルは、モニタＩＤ「０１」、「０２」、「０３」の３台のモニタにおける表示構成を示すものであり、モニタＩＤ「０１」のモニタには「患者リスト画面」、モニタＩＤ「０２」のモニタには「シングルフォーマット」のレイアウトで「読影画面」、モニタＩＤ「０３」のモニタには「レポート画面」を表示することが定められている。【００２８】
なお、表示構成テーブル３４２には、ユーザ毎の表示構成ファイルとは別に、基本表示構成ファイル（ファイル名「Ｓ」）が登録されている。これは予め標準的な表示構成として準備されているものであり、表示に用いるモニタの数は最小限の１に設定されている。また、任意のモニタを適用可能とするため、特にモニタＩＤは登録されておらず、表示内容としては初期操作に必要な「患者リスト画面」が登録されている。
ここで、シングルフォーマット、マルチフォーマットとは、医用画像の表示形式をいう。シングルフォーマットとは表示領域に医用画像を１枚のみ表示する形式であり、マルチフォーマットとは表示領域を分割して複数の医用画像を表示する形式である。【００２９】
モニタファイル３４３は、医用画像システム１に含まれる全ての医用画像表示装置５Ａ、５Ｂが備えるモニタに関する情報を管理するためのものである。モニタファイル３４３には、図５に示すように、医用画像表示装置５Ａ、５Ｂのホスト名、当該医用画像表示装置５Ａ、５Ｂが備えるモニタのモニタＩＤに対応付けてそのモニタの解像度、画面サイズ、最高輝度の各項目情報が記憶されている。【００３０】
例えば、ホスト名「ＤｏｃＡ」の医用画像表示装置５ＡはモニタＩＤ「０１」、「０２」、「０３」の３台のモニタを備え、そのうちモニタＩＤ「０１」のモニタは解像度「１２８０×１０２４（画素）」、画面サイズ「３８０×５００」（ｍｍ）、最高輝度「２０５」（ｃｄ）であることが定められている。【００３１】
ＮＡＳ４は、大容量メモリを備えて構成され、医用画像の他、レポート等の医用画像に関する各種データを記憶している。ＮＡＳ４はサーバ３の制御に従って指示されたデータを指示された外部装置へ出力する。【００３２】
医用画像表示装置５Ａ、５Ｂは、医師の医用画像の読影時や診療作業時に用いられるものである。医用画像表示装置５Ａ、５Ｂは、一又は複数のモニタを備えて、このモニタに対象データを表示する。
図６を参照して医用画像表示装置５Ａ、５Ｂの構成について説明するが、医用画像表示装置５Ａ、５Ｂは基本的な構成は同一であるので、ここでは医用画像表示装置５Ａを代表として説明を行う。【００３３】
医用画像表示装置５Ａは、図６に示すように、制御部５１、操作部５２、表示部５３、通信部５４、ＲＡＭ５５、記憶部５６、画像処理部５７、画像メモリ５８を備えて構成されている。【００３４】
制御部５１は、ＣＰＵ等を備えて構成され、記憶部５６に記憶されている各種制御プログラムを読み出してＲＡＭ５５に展開し、これら制御プログラムとの協働により各種演算を行うとともに各部５２〜５８の集中制御を行う。【００３５】
操作部５２は、キーボードやマウス等を備えて構成され、これらが操作されると、その操作に応じた操作信号を生成して制御部５１に出力する。【００３６】
表示部５３は、モニタ５３ａ〜５３ｃを備え、これらモニタ５３ａ〜５３ｃに医用画像を表示したり、レポート作成画面、電子カルテ画面等の操作画面等、各種対象データを表示する。このモニタ５３ａ〜５３ｃには、前述したように個々にモニタＩＤが付されており、そのホスト名、モニタＩＤの情報が予めサーバ３において登録され、モニタファイル３４３において管理されている。ここでは、モニタ５３ａのモニタＩＤは「０１」、モニタ５３ｂのモニタＩＤは「０２」、モニタ５３ｃのモニタＩＤは「０３」であるとする。【００３７】
通信部５４は、通信用インターフェイスを備え、ネットワークＮ上の外部装置と通信を行う。例えば、サーバ３に医用画像等の対象データを要求する要求情報を送信し、ＮＡＳ４から対象データを受信する。【００３８】
ＲＡＭ５５は、制御部５１により使用される作業用メモリである。【００３９】
記憶部５６は、制御部５１において実行される各種制御プログラムの他、プログラムの実行に必要なパラメータ、データ等を記憶している。【００４０】
画像処理部５７は、対象データに縮小、拡大、回転、反転等の各種画像処理を施すものである。【００４１】
画像メモリ５８は、対象データを記憶する。【００４２】
フィルム出力装置６は、医用画像をフィルムへ出力するものである。【００４３】
次に、医用画像システム１の動作について説明する。
医用画像システム１では、医師が予めモニタ構成に応じた表示構成をサーバ３に登録し、表示構成ファイルを作成しておくことにより、何れの医用画像表示装置５Ａ又は５Ｂにログインしてもそのログインした医用画像表示装置５Ａ又は５Ｂのモニタ構成に対応した表示構成ファイルをサーバ３から取得して利用することが可能である。【００４４】
まず、図７を参照して、医師が医用画像表示装置５Ａ又は５Ｂにログインした際にサーバ３において行われる表示構成ファイル提供処理を説明する。
医用画像表示装置５Ａ又は５Ｂでは、操作部５２を介して医師によりログイン操作が行われると、当該ログイン操作により入力されたユーザ名（又はユーザＩＤ）及びパスワードのログイン情報がサーバ３に送信される。このとき、ログイン情報とともにログインが行われた医用画像表示装置５Ａ、５Ｂのホスト名の情報が送信される。
以下、医用画像表示装置５Ａにおいてログイン操作が行われたものとして説明を行う。【００４５】
サーバ３では、図７に示すように、制御部３１において何れかの医用画像表示装置５Ａ又は５Ｂからのログイン情報が受信され、ログイン操作が行われたと判別されると（ステップＳ１；Ｙ）、ログイン情報とともに受信されたホスト名の情報に基づいて、制御部３１によりログインが行われた医用画像表示装置が特定される（ステップＳ２）。具体的には、モニタファイル３４３において受信されたホスト名と一致するホスト名の医用画像表示装置５Ａがログイン装置として特定される。以下、ログインが行われた医用画像表示装置をログイン装置という場合がある。【００４６】
次いで、制御部３１ではモニタファイル３４３に基づいて特定された医用画像表示装置５Ａの有するモニタの数が判別される（ステップＳ３）。
モニタ数が判別されると、制御部３１ではログイン情報と登録ユーザファイル３４１とが照合され、ユーザ認証が行われる（ステップＳ４）。ここで、ログイン情報と一致するユーザ名、パスワードが登録ユーザファイル３４１において検索されなかった場合には、ユーザの認証はできない旨を通知するエラー情報が通信部３２を介して医用画像表示装置５Ａに送信される。【００４７】
ユーザ認証がなされると、制御部３１によって、登録ユーザファイル３４１からその認証ユーザ及び医用画像表示装置５Ａのモニタ数に対応する表示構成ファイルが表示構成テーブル３４２から取得される。まず、認証ユーザに対応する表示構成ファイル名が登録ユーザファイル３４１から取得され、その表示構成ファイル名に対応する表示構成ファイルのうち、医用画像表示装置５Ａのモニタ数に対応する表示構成ファイルが取得される。取得された表示構成ファイルはログイン装置である医用画像表示装置５Ａに送信される（ステップＳ５）。【００４８】
また、制御部３１では認証ユーザに対応する表示構成ファイルに基づき、認証ユーザが利用可能な表示構成を示す構成情報が生成され、医用画像表示装置５Ａに送信される（ステップＳ６）。この構成情報には医用画像表示装置５Ａのモニタ構成とは異なるモニタ構成に対応する表示構成についての情報も含まれる。例えば、図４に示す例では、ユーザ「Ｘ」については３つの表示構成ファイル「Ｘ１」〜「Ｘ３」が登録されており、そのモニタ数はそれぞれ「１」〜「３」である。よって、１モニタ表示構成、２モニタ表示構成、３モニタ表示構成が利用可能であるとしてその構成情報が医用画像表示装置５Ａに送信される。
構成情報が送信されると、本処理を終了する。【００４９】
このようにして、表示構成ファイルが医用画像表示装置５Ａに送信されると、医用画像表示装置５Ａではこの表示構成ファイルに従って対象データの表示が行われる。
図８を参照して医用画像表示装置５Ａにおいて実行される対象データ表示処理について説明する。なお、ここでは医用画像表示装置５Ａの処理動作について説明するが、医用画像表示装置５Ｂにおいても同様の処理がなされる。【００５０】
図８に示すように、サーバ３から表示構成ファイルが取得されると（ステップＳ１０１；Ｙ）、当該表示構成ファイルがＲＡＭ５５に保存される。そして、医師により患者リスト、医用画像等の表示する対象データの指示操作がなされると、制御部５１の制御により当該対象データが取得される（ステップＳ１０２）。取得時には、制御部５１により生成された要求情報がサーバ３に送信される。サーバ３では要求情報に応じて指定された対象データを転送するようＮＡＳ４の制御がなされるので、医用画像表示装置５ＡではこのＮＡＳ４から対象データが取得されるものである。【００５１】
制御部５１では、取得された表示構成ファイルに基づいて対象データを表示すべきモニタが判別され、それぞれ判別されたモニタに対象データが表示される（ステップＳ１０３）。図４に示す表示構成ファイル「Ｘ３」が取得された場合、モニタＩＤ「０１」のモニタでは「患者リスト画面」、モニタＩＤ「０２」のモニタではシングルフォーマットの「読影画面」、モニタＩＤ「０３」のモニタでは「レポート画面」と定められている。サーバ３からは患者リスト、ＮＡＳ４からは医用画像、レポートの各対象データが取得されるので、医用画像表示装置５Ａでは、患者リストの対象データはモニタＩＤ「０１」のモニタ５３ａ、医用画像はシングルフォーマット形式でモニタＩＤ「０２」のモニタ５３ｂ、レポートの対象データはモニタＩＤ「０３」のモニタ５３ｃとそれぞれ判別され、表示される。【００５２】
図９に、その表示例を示す。
図９に示すように、モニタ５３ａには患者リスト画面、モニタ５３ｂにはシングルフォーマット形式の読影画面、モニタ５３ｃにはレポート画面と、表示構成ファイルに従った３モニタ表示構成で各対象データが表示されている。【００５３】
これらの画面においては、制御部５１により表示構成ファイルとともに送信された構成情報を基に表示制御が行われ、図１０（ａ）に示すように現在の表示構成から他の表示構成への切替を指定するための操作メニューｄが表示可能である。図１０（ｂ）にその操作メニューｄの拡大図を示す。操作メニューｄでは認証ユーザが利用可能な表示構成の一覧が表示される。また、現在対象データの表示に用いられている表示構成にチェックマークｄ１が表示され、このチェックマークｄ１により現在の表示構成が識別可能とされている。すなわち、チェックマークｄ１は現在の表示構成を示す識別情報である。【００５４】
操作メニューｄでは表示構成の下部に構成保存の指示ボタンｄ２が表示されている。この指示ボタンｄ２を操作することにより、現在表示中の表示構成を表示構成ファイルとしてサーバ３に登録することが可能である。医用画像表示装置５Ａでは、構成保存の指示ボタンが操作されると、制御部５１により現在の対象データの表示内容をその対象データを表示しているモニタＩＤに対応付けて表示構成ファイルとされる。当該表示構成ファイルは医用画像表示装置５Ａのホスト名、ユーザのログイン情報とともに通信部５４を介してサーバ３に送信される。サーバ３では、表示構成テーブル３４２に新たに表示構成ファイルが記憶され、登録ユーザファイル３４１の更新が行われる。【００５５】
また、現在の表示構成から他の表示構成へ変更したい場合には、ユーザはこの操作メニューｄから切替変更可能である。例えば、現在の３モニタ表示構成（モニタ数３のモニタ構成に対応する表示構成）から２モニタ表示構成（モニタ数２のモニタ構成に対応する表示構成）に切り替えたい場合、操作メニューｄに一覧表示された表示構成のうち、切替対象の表示構成「２モニタ表示構成」の項目を指定操作する。【００５６】
医用画像表示装置５Ａでは、切替対象の表示構成の指定操作がなされると表示構成の変更が指示されたとして（ステップＳ１０４；Ｙ）、制御部５１の制御によりサーバ３から指定された表示構成ファイルの取得が行われる（ステップＳ１０５）。取得時には、まず制御部５１において指定された表示構成に対応する表示構成ファイルを要求する要求情報が生成されて通信部５４を介してサーバ３に送信される。サーバ３では、この要求情報に応じて指定された表示構成ファイルが表示構成テーブル３４２から検索されて医用画像表示装置５Ａに送信されるので、医用画像表示装置５Ａではこれを取得することとなる。【００５７】
次いで、制御部５１により表示構成の切替制御が行われ、取得された表示構成ファイルに基づいて対象データの再表示が行われると（ステップＳ１０６）、本処理を終了する。表示構成ファイルに基づく対象データの表示方法は前述した方法と同様であるので説明を省略する。【００５８】
例えば、図９に示すように３モニタ表示構成で対象データの表示が行われていた状態から、図１０（ｂ）に示す操作メニューｄにおいて２モニタ表示構成が指定された場合を考える。この場合、サーバ３からは表示構成ファイル「Ｘ２」（図４参照）が取得され、この表示構成ファイル「Ｘ２」に基づいて、図１１に示すように、モニタＩＤが「０１」のモニタ５３ａには「電子カルテ画面」、モニタＩＤが「０２」のモニタ５３ｂには「読影画面」が表示されるよう、対象データが切り替えられるとともにその表示構成が切り替えられる。【００５９】
以上のように、本実施形態によれば、予めサーバ３において医用画像表示装置５Ａ、５Ｂで取り得るモニタ構成に応じた表示構成ファイルをユーザ毎に作成し、登録しておくことにより、医用画像表示装置５Ａ、５Ｂにおいて様々なモニタ構成に応じた表示構成ファイルを取得することができ、これに基づく対象データの表示を行うことができる。【００６０】
よって、医師は一旦ログインした医用画像表示装置５Ａ又は５Ｂにおいて用途に応じて表示構成を自由に切り替えることができ、作業効率が向上する。また、切替対象の表示構成は操作メニューｄの中から指定することができるので、容易な操作で切り替えることができ、操作性が良い。【００６１】
また、ユーザ毎に表示構成ファイルを登録することができるので、医師の好みやスタイルに応じた表示内容で表示構成ファイルを作成することにより、モニタ構成に対応するだけでなく、表示内容も医師に応じた表示構成とすることができる。【００６２】
また、表示構成ファイルは、各モニタＩＤに対応付けてそのモニタにおける表示内容が記憶されているので、何れのモニタに何れの対象データを表示するかを定めることができる。また、表示内容は、医用画像についてはそのレイアウト等も登録することができ、詳細にわたって表示構成のカスタマイズを行うことが可能となる。【００６３】
なお、上記実施形態は、本発明を適用した好適な一例であり、これに限定されない。
例えば、内科、外科等のグループ毎に表示構成ファイルを備えることとしてもよい。この場合、グループ毎に使用する表示構成ファイルを共通化することができ、医師の作業手順の統一化を図ることができる。【００６４】
また、上記実施形態のようにユーザ毎に表示構成ファイルを備えるのではなく、各医用画像表示装置５Ａ、５Ｂに共通の表示構成ファイルとして、各医用画像表示装置５Ａ、５Ｂが取り得るモニタ構成毎に表示構成を登録しておくこととしてもよい。例えば、全医用画像表示装置５Ａ、５Ｂにおける最大モニタ数が３である場合、モニタ数１、２、３に対応する３つの表示構成ファイルを登録しておく。これらの表示構成ファイルを用いることにより、何れのユーザにおいても全てのモニタ構成に対応した表示構成に切り替えることが可能となる。
【産業上の利用性】
【００６５】
表示技術の分野において利用可能であり、医用画像データ、その他医用画像に係る表示対象データをモニタ上に表示する医用画像システムに適用可能である。
【図１】
2007099817.tif 000003
【図２】
2007099817.tif 000004
【図３】
2007099817.tif 000005
【図４】
2007099817.tif 000006
【図５】
2007099817.tif 000007
【図６】
2007099817.tif 000008
【図７】
2007099817.tif 000009
【図８】
2007099817.tif 000010
【図９】
2007099817.tif 000011
【図１０】
2007099817.tif 000012
【図１１】
2007099817.tif 000013
【国際調査報告】
2007099817.tif 000014
2007099817.tif 000015
2007099817.tif 000016
2007099817.tif 000017